(57)【要約】  【課題】  操作性に優れ、かつより確実に待機電力の低減を図ることができる音声再生システムを提供する  【解決手段】  本発明の音声再生システムは、別体から成る音声再生装置１００とリアスピーカユニット２００を備える。音声再生装置１００は電源のオン／オフを切り替えるスイッチ１２を有し、リアスピーカユニット２００は電源のオン／オフを切り替えるスイッチ２１を有する。音声再生装置１００内のシステムマイコン８は、スイッチ１２のオン／オフを切り替える際にリモコン送信部９に電源切り替え制御信号を送信させる。リアスピーカユニット２００内のシステムマイコン１８は、リモコン受信部１７によって受信された電源切り替え制御信号を入力すると、スイッチ２１のオン／オフを切り替える。【選択図】      図１
2005277650.tif 000002
【特許請求の範囲】
【請求項１】
別体から成る音声再生装置とスピーカユニットを備えた音声再生システムにおいて、
前記音声再生装置が、スピーカユニット用音声信号を変調して前記スピーカユニットに無線送信する第１の送信部と、前記音声再生装置の内部回路の一部への電力供給をオン／オフして前記音声再生装置の電源のオン／オフを切り替える第１のスイッチと、前記第１のスイッチのオン／オフ切り替わりに応じた電源切り替え制御信号を変調して前記スピーカユニットに無線送信する第２の送信部と、を有し、
前記スピーカユニットが、前記第１の送信部から無線送信される信号を受信し、その受信した信号をスピーカユニット用音声信号に復調する第１の受信部と、前記第１の受信部から出力されるスピーカユニット用音声信号を音声に変換する出力部と、前記第２の送信部から無線送信される信号を受信し、その受信した信号を電源切り替え制御信号に復調する第２の受信部と、前記第２の受信部から出力される電源切り替え制御信号に応じて前記スピーカユニットの内部回路の一部への電力供給をオン／オフして前記スピーカユニットの電源のオン／オフを切り替える第２のスイッチと、を有することを特徴とする音声再生システム。
【請求項２】
前記音声再生装置が、電源切り替え制御信号が変調されている外部信号を受信し、その受信した信号を電源切り替え制御信号に復調する第３の受信部を有し、
前記第１のスイッチが、前記第３の受信部から出力される電源切り替え制御信号に応じて前記音声再生装置の内部回路の一部への電力供給をオン／オフして前記音声再生装置の電源のオン／オフを切り替え、
前記第２の受信部によって復調される電源切り替え制御信号と前記第３の受信部によって復調される電源切り替え制御信号とが異なるコードの信号である又は前記第２の受信部の無線通信方式と前記第３の受信部の無線通信方式とが異なる通信方式である請求項１に記載の音声再生システム。
【請求項３】
前記第２の受信部によって復調される電源切り替え制御信号の電源をオンにする制御コードと電源をオフにする制御コードとが互いに異なる請求項１または請求項２に記載に音声再生システム。
【請求項４】
前記スピーカユニットが副電源回路及び主電源回路を有し、前記副電源回路により前記第２の受信部への電力供給がなされ、前記主電源回路により前記第１の受信部及び前記出力部への電力供給がなされ、前記第２のスイッチによって前記主電源回路への電力供給がオン／オフされる請求項１〜３のいずれかに記載の音声再生システム。
【発明の詳細な説明】
【技術分野】
【０００１】
本発明は、別体から成る音声再生装置とスピーカユニットを備えた音声再生システムに関する。
【背景技術】
【０００２】
音声再生システムの中には、サラウンド効果等を得ることができるスピーカ配置が行えるように、音声再生装置とスピーカユニットとが別体になっているものがある。このような音声再生システムにおいて、音声再生装置とスピーカユニットとが有線接続される形態にすると、配線コードの引き回し作業が伴う上に、スピーカユニットの設置場所が配線コードの長さによって限定されてしまう。さらに、生活空間に露出した配線コードが歩行等の生活行動に対し支障となり或いは装飾等による部屋の観望と雰囲気を損なうという問題点がある。
【０００３】
かかる問題点を解消するために、別体から成る音声再生装置とスピーカユニットを備え音声再生装置からスピーカユニットへの信号伝送を無線により行う音声再生システムが提案されている（例えば、特許文献１参照）。
【０００４】
別体から成る音声再生装置とスピーカユニットを備え音声再生装置からスピーカユニットへの信号伝送を無線により行う音声再生システムの一構成例を図３に示す。図３に示す音声再生システムは、別体から成る音声再生装置３００とリアスピーカユニット４００とによって構成されている。
【０００５】
音声再生装置３００は、フロント音声信号Ｌｃｈ及びＲｃｈ並びにリア音声信号ＳＬｃｈ及びＳＲｃｈのレベル調整を行う音量調整部１と、音量調整部１から出力される各フロント音声信号をそれぞれ増幅する増幅器２Ｌ及び２Ｒと、増幅器２Ｌ及び２Ｒの出力信号をそれぞれ音声に変換するフロントスピーカ３Ｌ及び３Ｒと、音量調整部１から出力されるリア音声信号をリアスピーカユニット２００に転送するためのリア音声信号送信部４と、リモコン送信機（図示せず）からのリモコン信号を受信するリモコン受信部５と、キー入力部６と、電源スイッチ７と、リモコン受信部５、キー入力部６、及び電源スイッチ７の出力に応じて音声再生装置３００全体を制御するシステムマイコン８と、ＡＣプラグ１３からのＡＣ電力をＤＣ電力に変換してリモコン受信部５及びシステムマイコン８へ供給する副電源回路１０と、ＡＣプラグ１３からのＡＣ電力をＤＣ電力に変換して音声調整部１、増幅器２及び２Ｒ、並びにリア音声信号送信部４へ供給する主電源回路１１と、ＡＣプラグ１３と主電源回路１１との接続状態を切り替えるスイッチ１２と、ＡＣコンセント（図示せず）に接続されるＡＣプラグ１３と、を備えている。
【０００６】
リアスピーカユニット４００は、音声再生装置３００から転送されるリア音声信号を受信するリア音声信号受信部１４と、リア音声信号受信部１４の各出力をそれぞれ増幅する増幅器１５ＳＬ及び１５ＳＲと、増幅器１５ＳＬ及び１５ＳＲの出力信号をそれぞれ音声に変換するリアスピーカ１６ＳＬ及び１６ＳＲと、ＡＣプラグ２０からのＡＣ電力をＤＣ電力に変換してリア音声信号受信部１４並びに増幅器１５ＳＬ及び１５ＳＲへ供給する主電源回路１９と、ＡＣプラグ２０と主電源回路１９との接続状態を切り替えるスイッチ２４と、ＡＣコンセント（図示せず）に接続されるＡＣプラグ２０と、を備えている。
【特許文献１】特開平６−５３８６７号公報（第１図）
【発明の開示】
【発明が解決しようとする課題】
【０００７】
図３に示す音声再生システムでは、リアスピーカユニット４００が電気回路（リア音声信号受信部１４、増幅器１５ＳＬ及び１５ＲＬ、並びに主電源回路１９）を有するので、リアスピーカユニット４００についても電源のオン／オフを切り替えることができるようにスイッチ２４を設け、待機電力の低減を図っている。
【０００８】
しかしながら、図３に示す音声再生システムは、音声再生装置３００の電源のオン／オフとリアスピーカユニット４００の電源のオン／オフとは互いに独立していたため、使用者が音声再生装置３００の電源のオン／オフとリアスピーカユニット４００の電源のオン／オフとを別々に操作する必要があり、甚だ操作性が悪いものであった。また、音声再生装置３００の電源をオフしたことで、使用者は音声再生システム全体の電源がオフになったものと思い込み、リアスピーカユニット４００の電源がオンのまま放置されてリアスピーカユニット４００において無駄な電力が消費されている場合もあった。
【０００９】
本発明は、上記の問題点に鑑み、操作性に優れ、かつより確実に待機電力の低減を図ることができる音声再生システムを提供することを目的とする。
【課題を解決するための手段】
【００１０】
上記目的を達成するために本発明に係る音声再生システムは、別体から成る音声再生装置とスピーカユニットを備え、前記音声再生装置が、スピーカユニット用音声信号を変調して前記スピーカユニットに無線送信する第１の送信部と、前記音声再生装置の内部回路の一部への電力供給をオン／オフして前記音声再生装置の電源のオン／オフを切り替える第１のスイッチと、前記第１のスイッチのオン／オフ切り替わりに応じた電源切り替え制御信号を変調して前記スピーカユニットに無線送信する第２の送信部と、を有し、前記スピーカユニットが、前記第１の送信部から無線送信される信号を受信し、その受信した信号をスピーカユニット用音声信号に復調する第１の受信部と、前記第１の受信部から出力されるスピーカユニット用音声信号を音声に変換する出力部と、前記第２の送信部から無線送信される信号を受信し、その受信した信号を電源切り替え制御信号に復調する第２の受信部と、前記第２の受信部から出力される電源切り替え制御信号に応じて前記スピーカユニットの内部回路の一部への電力供給をオン／オフして前記スピーカユニットの電源のオン／オフを切り替える第２のスイッチと、を有する構成である。
【００１１】
このような構成によると、音声再生装置、スピーカユニットともに電源がオフであるときに、使用者の操作により、音声再生装置の電源がオンになると、自動的にスピーカユニットの電源もオンになる。これにより、音声再生装置及びスピーカユニットの電源をオフからオンにするときに、使用者は、音声再生装置の電源をオフからオンに切り替える操作とスピーカユニットの電源をオフからオンに切り替える操作とを別々に行う必要が無くなるので、操作性が向上する。また、音声再生装置、スピーカユニットともに電源がオンであるときに、使用者の操作により、音声再生装置の電源がオフになると、自動的にスピーカユニットの電源もオフになる。これにより、音声再生装置及びスピーカユニットの電源をオンからオフにするときに、使用者は、音声再生装置の電源をオンからオフに切り替える操作とスピーカユニットの電源をオンからオフに切り替える操作とを別々に行う必要が無くなるので、操作性が向上する。また、音声再生装置の電源がオフであるが、スピーカユニットの電源がオンであるという状態を防止することができるので、無駄な電力消費を抑えることができる。
【００１２】
また、前記音声再生装置が、電源切り替え制御信号が変調されている外部信号を受信し、その受信した信号を電源切り替え制御信号に復調する第３の受信部を有し、前記第１のスイッチが、前記第３の受信部から出力される電源切り替え制御信号に応じて前記音声再生装置の内部回路の一部への電力供給をオン／オフして前記音声再生装置の電源のオン／オフを切り替えるようにし、前記第２の受信部によって復調される電源切り替え制御信号と前記第３の受信部によって復調される電源切り替え制御信号とを異なるコードの信号にする又は前記第２の受信部の無線通信方式と前記第３の受信部の無線通信方式とを異なる通信方式にするようにしてもよい。
【００１３】
このような構成によると、例えば第２の送信部から送信される電源切り替え制御信号が、部屋の壁や天井の反射等により前記第３の受信部に受信されても音声再生装置が誤動作しないので、電源切り替え制御が安定する。
【００１４】
また、前記第２の受信部によって復調される電源切り替え制御信号の電源をオンにする制御コードと電源をオフにする制御コードとを互いに異なるようにしてもよい。
【００１５】
このような構成によると、第２の送信部−第２の受信部間の一時的な通信不通によるスピーカユニットの電源オフが起こらなくなるので、電源切り替え制御が安定する。
【００１６】
また、前記スピーカユニットが副電源回路及び主電源回路を有し、前記副電源回路により前記第２の受信部への電力供給がなされ、前記主電源回路により前記第１の受信部及び前記出力部への電力供給がなされ、前記第２のスイッチによって前記主電源回路への電力供給がオン／オフされるようにしてもよい。
【００１７】
このような構成にすると、副電源回路及び主電源回路をそれぞれトランスと整流器とによって構成した場合、スピーカユニットの電源がオフであるときは主電源回路内に設けられるトランスの一次側の励磁電流が流れず、副電源回路内に設けられるトランスの一次側の励磁電流が流れる。そして、副電源回路は第２の受信部等の必要最低限の回路への電力供給を行うだけであるので、副電源回路には小さなトランスを用いることができる。これにより、副電源回路内に設けられるトランスの一次側の励磁電流が小さくなり、スピーカユニットにおける電源オフ時の無駄な消費電力を低減することができる。
【発明の効果】
【００１８】
本発明によると、操作性に優れ、かつより確実に待機電力の低減を図ることができる音声再生システムを実現することができる。
【発明を実施するための最良の形態】
【００１９】
本発明の一実施形態について図面を参照して以下に説明する。本発明に係る音声再生システムの一構成例を図１に示す。なお、図１において図３と同一の部分には同一の符号を付す。図１に示す音声再生システムは、別体から成る音声再生装置１００とリアスピーカユニット２００とによって構成されている。
【００２０】
音声再生装置１００は、フロント音声信号Ｌｃｈ及びＲｃｈ並びにリア音声信号ＳＬｃｈ及びＳＲｃｈのレベル調整を行う音量調整部１と、音量調整部１から出力される各フロント音声信号をそれぞれ増幅する増幅器２Ｌ及び２Ｒと、増幅器２Ｌ及び２Ｒの出力信号をそれぞれ音声に変換するフロントスピーカ３Ｌ及び３Ｒと、音量調整部１から出力されるリア音声信号をリアスピーカユニット２００に転送するためのリア音声信号送信部４と、リモコン送信機（図示せず）からのリモコン信号を受信するリモコン受信部５と、キー入力部６と、電源スイッチ７と、電源スイッチ７の出力に応じて音声再生装置１００全体を制御するシステムマイコン８と、リアスピーカユニット２００へ電源制御信号を送信するリモコン送信部９と、ＡＣプラグ１３からのＡＣ電力をＤＣ電力に変換してリモコン受信部５及びシステムマイコン８へ供給する副電源回路１０と、ＡＣプラグ１３からのＡＣ電力をＤＣ電力に変換して音声調整部１、増幅器２Ｌ及び２Ｒ、リア音声信号送信部４、並びにリモコン送信部９へ供給する主電源回路１１と、ＡＣプラグ１３と主電源回路１１との接続状態を切り替えるスイッチ１２と、ＡＣコンセント（図示せず）に接続されるＡＣプラグ１３と、を備えている。なお、フロントスピーカ３Ｌ及び３Ｒを音声再生装置１００内に設けず、音声再生装置１００とは別体にしてフロントスピーカ３Ｌ及び３Ｒと音声再生装置１００とを有線接続するようにしてもよい。
【００２１】
リアスピーカユニット２００は、音声再生装置１００から転送されるリア音声信号を受信するリア音声信号受信部１４と、リア音声信号受信部１４の各出力をそれぞれ増幅する増幅器１５ＳＬ及び１５ＳＲと、増幅器１５ＳＬ及び１５ＳＲの出力信号をそれぞれ音声に変換するリアスピーカ１６ＳＬ及び１６ＳＲと、音声再生装置１００からの電源制御信号を受信するリモコン受信部１７と、リモコン受信部１７の出力に応じてスイッチ２１を制御するシステムマイコン１８と、ＡＣプラグ１３からのＡＣ電力をＤＣ電力に変換してリア音声信号受信部１４、増幅器１５ＳＬ及び１５ＳＲ、リモコン受信部１７、並びにシステムマイコン１８へ供給する主電源回路１９と、リア音声信号受信部１４並びに増幅器１５ＳＬ及び１５ＳＲと主電源回路１９との接続状態を切り替えるスイッチ２１と、ＡＣコンセント（図示せず）に接続されるＡＣプラグ２０と、を備えている。
【００２２】
このような構成である図１に示す音声信号再生システムの動作について説明する。
【００２３】
システムマイコン８は、リモコン受信部５、キー入力部６、及び電源スイッチ７の出力に応じて、音声調整部１、リモコン送信部９、及びスイッチ１２を制御する。また、システムマイコン１８は、リモコン受信部１７の出力に応じてスイッチ２１を制御する。
【００２４】
音声再生装置１００の電源がオンであるとは、スイッチ１２がオンである状態をいい、この場合、リモコン受信部５及びシステムマイコン８に副電源回路１０からＤＣ電力が供給され、音声調整部１、増幅器２Ｌ及び２Ｒ、リア音声信号送信部４、並びにリモコン送信部９に主電源回路１１からＤＣ電力が供給されるので、音声再生装置１００内の電気回路が全て動作状態となる。また、音声再生装置１００の電源がオフであるとは、スイッチ１２がオフである状態をいい、この場合、リモコン受信部５及びシステムマイコン８には副電源回路１０からＤＣ電力が供給されるが、音声調整部１、増幅器２Ｌ及び２Ｒ、リア音声信号送信部４、並びにリモコン送信部９にはＤＣ電力が供給されないので、音声再生装置１００内の電気回路のうちリモコン受信部５及びシステムマイコン８のみが動作状態となり、待機電力の低減を図ることができる。
【００２５】
リアスピーカユニット２００の電源がオンであるとは、スイッチ２１がオンである状態をいい、この場合、リモコン受信部１７、システムマイコン１８、リア音声信号受信部１４、並びに増幅器１５ＳＬ及び１５ＳＲに主電源回路１９からＤＣ電力が供給されるので、リアスピーカユニット２００内の電気回路が全て動作状態となる。また、リアスピーカユニット２００の電源がオフであるとは、スイッチ２１がオフである状態をいい、この場合、リモコン受信部１７及びシステムマイコン１８には主電源回路１９からＤＣ電力が供給されるが、リア音声信号受信部１４並びに増幅器１５ＳＬ及び１５ＳＲにはＤＣ電力が供給されないので、リアスピーカ２００内の電気回路のうちリモコン受信部１７及びシステムマイコン１８のみが動作状態となり、待機電力の低減を図ることができる。
【００２６】
ここで、初期状態において音声再生装置１００、リアスピーカユニット２００ともに電源がオフであるものとする。
【００２７】
上記初期状態において、リモコン送信機（図示せず）から送信される電源オン／オフ切換コードのリモコン信号をリモコン受信部５が受信して電源オン／オフ切換コードの信号をシステムマイコン８に出力するか、電源スイッチ７が押圧されてグランド電位信号がシステムマイコン８に入力されるかすると、システムマイコン８は、スイッチ１２のオン／オフを切り替える即ちスイッチ１２をオフからオンに切り替える。これにより、ＡＣプラグ１３から主電源回路１１にＡＣ電力が供給され、主電源回路１１が動作を開始し、音量調整部１、増幅器２Ｌ及び２Ｒ、並びにリア音声信号送信部４にＤＣ電力が供給され、それぞれの回路が動作を開始する。さらに、システムマイコン８は、スイッチ１２をオフからオンに切り替えてから所定の時間（リモコン送信部９が立ち上がるのに十分な時間）が経過してからリモコン送信部９に電源オン／オフ切換コードのリモコン信号を送信させる。
【００２８】
そして、リモコン送信部９から送信される電源オン／オフ切換コードのリモコン信号をリモコン受信部１７が受信して電源オン／オフ切換コードの信号をシステムマイコン１８に出力すると、システムマイコン１８は、スイッチ２１のオン／オフを切り替える即ちスイッチ２１をオフからオンに切り替える。これにより、主電源回路１９からリア音声信号受信部１４並びに増幅器１５ＳＬ及び１５ＳＲにＤＣ電力が供給され、それぞれの回路が動作を開始する。
【００２９】
したがって、音声再生装置１００、リアスピーカユニット２００ともに電源がオフであるときに、使用者がリモコン送信機（図示せず）又は電源スイッチ７を操作することによって、音声再生装置１００の電源をオンにすると、自動的にリアスピーカユニット２００の電源もオンになる。これにより、音声再生装置１００及びリアスピーカユニット２００の電源をオフからオンにするときに、使用者は、音声再生装置１００の電源をオフからオンに切り替える操作とリアスピーカユニット２００の電源をオフからオンに切り替える操作とを別々に行う必要が無くなるので、操作性が向上する。
【００３０】
音声再生装置１００の電源がオンであるとき、システムマイコン８は、リモコン受信部５及びキー入力部６の出力に応じて音声調整部１を制御する。そして、フロント音声信号Ｌｃｈ及びＲｃｈは、音量調整部１によって音量調整されたのち、それぞれ増幅器２Ｌ及び２Ｒによって増幅され、それぞれフロントスピーカー３Ｌ及び３Ｒによって音声に変換される。また、リア再生信号ＳＬｃｈ及びＳＲｃｈは、音量調整部１によって音量調整されたのち、リア音声信号送信部４によって変調されリアスピーカユニット２００に送信される。
【００３１】
リアスピーカユニット２００の電源がオンであるとき、リア音声信号送信部４から送信された信号がリア音声信号受信部１４によって復調され、それぞれ増幅器１５ＳＬ及び１５ＳＲによって増幅され、それぞれリアスピーカー１６ＳＬ及び１６ＳＲによって音声に変換される。
【００３２】
次に、音声再生装置１００、リアスピーカユニット２００ともに電源がオンである状態において、リモコン送信機（図示せず）から送信される電源オン／オフ切換コードのリモコン信号をリモコン受信部５が受信して電源オン／オフ切換コードの信号をシステムマイコン８に出力するか、電源スイッチ７が押圧されてグランド電位信号がシステムマイコン８に入力されるかすると、システムマイコン８は、リモコン送信部９に電源オン／オフ切換コードのリモコン信号を送信させたのち、スイッチ１２のオン／オフを切り替える即ちスイッチ１２をオンからオフに切り替える。これにより、ＡＣプラグ１３から主電源回路１１へのＡＣ電力の供給が遮断され、主電源回路１１、音量調整部１、増幅器２Ｌ及び２Ｒ、並びにリア音声信号送信部４の動作が停止する。
【００３３】
そして、リモコン送信部９から送信される電源オン／オフ切換コードのリモコン信号をリモコン受信部１７が受信して電源オン／オフ切換コードの信号をシステムマイコン１８に出力すると、システムマイコン１８は、スイッチ２１のオン／オフを切り替える即ちスイッチ２１をオンからオフに切り替える。これにより、主電源回路１９からリア音声信号受信部１４並びに増幅器１５ＳＬ及び１５ＳＲへのＤＣ電力の供給が遮断され、それぞれの回路が動作を停止する。
【００３４】
したがって、音声再生装置１００、リアスピーカユニット２００ともに電源がオンであるときに、使用者がリモコン送信機（図示せず）又は電源スイッチ７を操作することによって、音声再生装置１００の電源をオフにすると、自動的にリアスピーカユニット２００の電源もオフになる。これにより、音声再生装置１００及びリアスピーカユニット２００の電源をオンからオフにするときに、使用者は、音声再生装置１００の電源をオンからオフに切り替える操作とリアスピーカユニット２００の電源をオンからオフに切り替える操作とを別々に行う必要が無くなるので、操作性が向上する。また、音声再生装置１００の電源がオフであるが、リアスピーカユニット２００の電源がオンであるという状態を防止することができるので、無駄な電力消費を抑えることができる。
【００３５】
しかしながら、リモコン受信部５が受信するリモコン信号の電源オン／オフ切換コードとリモコン受信部１７が受信するリモコン信号の電源オン／オフ切換コードとの関係で、上述したような理想的な動作にならない場合がある。
【００３６】
リモコン受信部５が受信するリモコン信号の電源オン／オフ切換コードとリモコン受信部１７が受信するリモコン信号の電源オン／オフ切換コードとが同一ある場合、使用者がリモコン送信機の操作によって音声再生装置１００及びリアスピーカユニット２００の電源をオフからオンに切り替えようとしたときに以下に示す（ａ）〜（ｄ）の電源オン／オフ切り替わりパターンが考えられる。
【００３７】
（ａ）使用者がリモコン送信機を音声再生装置１００に向けた状態でリモコン送信機の電源キーを押し、音声再生装置１００のみに電源オン／オフ切換コードのリモコン信号が到達した場合、リアスピーカーユニット２００は、音声再生装置１００のリモコン送信部９から送信される電源オン／オフ切換コードのリモコン信号によって、電源がオンとなる（上述した理想的な動作）。
【００３８】
（ｂ）使用者がリモコン送信機を音声再生装置１００に向けた状態でリモコン送信機の電源キーを押したが、部屋の壁や天井の反射により、音声再生装置１００だけでなくリアシステムユニット２００にも電源オン／オフ切換コードのリモコン信号が到達した場合、リアスピーカーユニット２００では、リモコン送信機からの電源オン／オフ切換コードのリモコン信号によって電源がオンになり、その後音声信号再生装置１００のリモコン送信部９から送信される電源オン／オフ切換コードのリモコン信号によって電源がオフになってしまう。
【００３９】
（ｃ）音声再生装置１００の電源がオフからオンに切り替わる際に、リモコン送信部９から電源オン／オフ切換コードのリモコン信号がリアスピーカユニット２００に向けて送信されるが、そのリモコン信号が、部屋の壁や天井の反射により、リアスピーカユニット２００だけでなく音声再生信号１００のリモコン受信部５にも到達した場合、音声再生装置１００の電源がオフになってしまう。
【００４０】
（ｄ）使用者がリモコン送信機を音声再生装置１００に向けずに誤ってリアスピーカユニット２００に向けた状態でリモコン送信機の電源キーを押し、リアスピーカユニット２００にのみ電源オン／オフ切換コードのリモコン信号が到達した場合、リアスピーカユニット２００のみ電源がオンになる。その後、使用者がリモコン送信機を音声再生装置１００に向けた状態でリモコン送信機の電源キーを押し、音声再生装置１００の電源をオンにすると、音声信号再生装置１００のリモコン送信部９から送信される電源オン／オフ切換コードのリモコン信号によってリアスピーカユニット２００の電源がオフになってしまう。なお、運良く、使用者がリモコン送信機を音声再生装置１００に向けた状態でリモコン送信機の電源キーを押したときに音声再生装置１００のリモコン受信部５と同時にリアスピーカユニット２００のリモコン受信部１７にも電源オン／オフ切換コードのリモコン信号が到達すれば、そのリモコン信号によりリアスピーカユニット２００の電源はオフになり、その後音声再生装置のリモコン送信部９からのリモコン信号により電源が再びオンになることもある。
【００４１】
このような不確実な電源切り替え制御では、使用者にとっては甚だ使い勝手の悪いものとなってしまう。したがって、リモコン受信部５が受信するリモコン信号の電源オン／オフ切換コードとリモコン受信部１７が受信するリモコン信号の電源オン／オフ切換コードとを異なるコードにすることが望ましい。
【００４２】
リモコン受信部５が受信するリモコン信号の電源オン／オフ切換コードとリモコン受信部１７が受信するリモコン信号の電源オン／オフ切換コードとを異なるコードにした場合、使用者がリモコン送信機の操作によって音声再生装置１００及びリアスピーカユニット２００の電源をオフからオンに切り替えようとしたときに以下に示す（Ａ）〜（Ｄ）の電源オン／オフ切り替わりパターンが考えられる。
【００４３】
（Ａ）使用者がリモコン送信機を音声再生装置１００に向けた状態でリモコン送信機の電源キーを押し、音声再生装置１００のみに電源オン／オフ切換コードのリモコン信号が到達した場合、リアスピーカーユニット２００は、音声再生装置１００のリモコン送信部９から送信される電源オン／オフ切換コードのリモコン信号によって、電源がオンとなる。
【００４４】
（Ｂ）使用者がリモコン送信機を音声再生装置１００に向けた状態でリモコン送信機の電源キーを押したが、部屋の壁や天井の反射により、音声再生装置１００だけでなくリアシステムユニット２００にも電源オン／オフ切換コードのリモコン信号が到達した場合、リアスピーカーユニット２００のリモコン受信部１７がリモコン送信機からの電源オン／オフ切換コードのリモコン信号を受信するが、システムマイコン１８が認識することができるコードとは異なるため、リアスピーカーユニット２００の電源はオフのままである。その後音声信号再生装置１００のリモコン送信部９から送信される電源オン／オフ切換コードのリモコン信号によってリアスピーカーユニット２００の電源はオンになる。
【００４５】
（Ｃ）音声再生装置１００の電源がオフからオンに切り替わる際に、リモコン送信部９から電源オン／オフ切換コードのリモコン信号がリアスピーカユニット２００に向けて送信されるが、そのリモコン信号が、部屋の壁や天井の反射により、リアスピーカユニット２００だけでなく音声再生信号１００のリモコン受信部５にも到達した場合、システムマイコン８が認識することができるコードとは異なるため、音声再生信号１００の電源はオンのままである。
【００４６】
（Ｄ）使用者がリモコン送信機を音声再生装置１００に向けずに誤ってリアスピーカユニット２００に向けた状態でリモコン送信機の電源キーを押し、リアスピーカユニット２００にのみ電源オン／オフ切換コードのリモコン信号が到達した場合、システムマイコン１８が認識することができるコードとは異なるため、リアスピーカユニット２００の電源はオフのままである。その後、使用者がリモコン送信機を音声再生装置１００に向けた状態でリモコン送信機の電源キーを押し、音声再生装置１００の電源をオンにすると、音声信号再生装置１００のリモコン送信部９から送信される電源オン／オフ切換コードのリモコン信号によってリアスピーカユニット２００の電源がオンになる。
【００４７】
上述したように、リモコン受信部５が受信するリモコン信号の電源オン／オフ切換コードとリモコン受信部１７が受信するリモコン信号の電源オン／オフ切換コードとを異なるコードにすることによって、電源切り替え制御が安定する。
【００４８】
上記説明では、リモコン送信機−リモコン受信部５間の通信方式とリモコン送信部９−リモコン受信部１７間の通信方式とが同一で、リモコン受信部５が受信するリモコン信号の電源オン／オフ切換コードとリモコン受信部１７が受信するリモコン信号の電源オン／オフ切換コードとを異なるコードにした場合について説明を行ったが、リモコン送信機−リモコン受信部５間の通信方式とリモコン送信部９−リモコン受信部１７間の通信方式とを異なる方式（例えば、前者を赤外線通信方式とし、後者を電波通信方式とする）にしても同様の効果を得ることができる。
【００４９】
しかしながら、リモコン受信部５が受信するリモコン信号の電源オン／オフ切換コードとリモコン受信部１７が受信するリモコン信号の電源オン／オフ切換コードとを異なるコードにしたり、リモコン送信機−リモコン受信部５間の通信方式とリモコン送信部９−リモコン受信部１７間の通信方式とを異なる方式にした場合でも、リモコン送信部９−リモコン受信部１７間の通信方式が障害物によって通信が妨げられる通信方式（例えば赤外線通信方式）である場合には、以下のような不具合が発生することが予想される。
【００５０】
システムマイコン８が、リレー１２をオフからオンにした後、リモコン送信部９に電源オン／オフ切換コードのリモコン信号を送信させている途中で、何らかの原因でリモコン送信部９からリモコン受信部１７に送信される電源オン／オフ切り替えコードのリモコン信号が一時的に遮られたら、リアスピーカユニット２００では、電源がオンになった後に、再びリモコン受信部１７が電源オン／オフ切り替えコードのリモコン信号を受信するので、電源をオフしてしまうおそれがある。
【００５１】
かかる問題点を解消するために、リモコン送信部９がリモコン受信部１７に送信するリモコン信号を、電源オンコードのリモコン信号と、電源オフコードのリモコン信号に分けることが望ましい。具体的には、音声信号再生装置１００の電源がオフからオンに切り替わる際はリモコン送信部９が電源オンコードのリモコン信号をリモコン受信部１７に送信し、音声信号再生装置１００の電源がオンからオフに切り替わる際はリモコン送信部９が電源オフコードのリモコン信号をリモコン受信部１７に送信する。このようにすると、システムマイコン８がリモコン送信部９に電源オンコードのリモコン信号を送信させている途中で、何らかの原因でリモコン送信部９からリモコン受信部１７に送信される電源オンコードのリモコン信号が一時的に遮られても、再度電源オンコードのリモコン信号がリモコン送信部９からリモコン受信部１７に送信されるので、システムマイコン１８が、電源オンの状態で電源オンコードの信号を入力しても何も行わないようにしておけば、リアスピーカユニット２００の電源状態は変化しないことになり、リモコン送信部９−リモコン受信部１７間の一時的な通信不通によるリアスピーカユニット２００の電源オフが起こらなくなる。
【００５２】
次に、本発明に係る音声再生システムの他の構成例を図２に示す。なお、図２において図１と同一の部分には同一の符号を付し詳細な説明を省略する。図２に示す音声再生システムは、別体から成る音声再生装置１００とリアスピーカユニット２０１とによって構成されている。
【００５３】
リアスピーカユニット２０１は、リアスピーカユニット２００に副電源回路２３を新たに設け、主電源回路１９がＡＣプラグ２０からのＡＣ電力をＤＣ電力に変換してリア音声信号受信部１４並びに増幅器１５ＳＬ及び１５ＳＲにのみ供給し、副電源回路２３がＡＣプラグ２０からのＡＣ電力をＤＣ電力に変換してリモコン受信部１７及びシステムマイコン１８に供給する構成である。
【００５４】
図１に示す音声信号再生システムが具備するリアスピーカユニット２００では、リアスピーカユニット２００の電源がオフである場合でもリモコン受信部１７及びシステムマイコン１８を動作させるために、リアスピーカユニット２００の電源がオフである場合でも主電源回路１９にＡＣプラグ２０からＡＣ電力が供給され主電源回路１９からリモコン受信部１７及びシステムマイコン１８にＤＣ電力が供給される構成になっている。そして、リアスピーカユニット２００が具備する主電源回路１９がトランスと整流器とによって構成される場合には、リアスピーカユニット２００の電源がオンであるときの最大出力時の電力を供給することができるトランスが用いられることになる。この場合、トランスの２次側から少ない電力しか取り出さない場合でも、トランスの大きさに比例した励磁電流が流れ、リモコン受信部１７及びシステムマイコン１８において消費する電力に比べて格段に大きな電力を消費してしまうという問題があった。
【００５５】
これに対して、図２に示す音声信号再生システムが具備するリアスピーカユニット２０１では、リアスピーカユニット２０１の電源がオフである場合でもリモコン受信部１７及びシステムマイコン１８を動作させるために、リアスピーカユニット２０１の電源がオフである場合でも副電源回路２３にＡＣプラグ２０からＡＣ電力が供給され副電源回路２３からリモコン受信部１７及びシステムマイコン１８にＤＣ電力が供給され、リアスピーカユニット２０１の電源がオフである場合に、スイッチ２１によりＡＣプラグ２０から主電源回路１９へのＡＣ電力の供給が遮断される構成になっている。したがって、主電源回路１９をトランスと整流器とによって構成しても、リアスピーカユニット２０１の電源がオフである場合にはトランスの一次側の励磁電流が流れない。また、副電源回路２３は、リモコン受信部１７及びシステムマイコン１８を動作させるために必要な電力を供給できればよいので、副電源回路２３がトランスと整流器とによって構成される場合には、小さなトランスを用いることができ、そのトランスの１次側の励磁電流は小さくなる。したがって、リアスピーカユニット２０１はリアスピーカユニット２００に比べて電源オフ時の無駄な消費電力を大幅に削減することができる。
【００５６】
なお、フロント音声信号Ｌｃｈ及びＲｃｈ並びにリア音声信号ＳＬｃｈ及びＳＲｃｈは、音声再生装置１００が記憶媒体（例えばＤＶＤ等）からデータを読み取り、その読み取ったデータに基づいて生成してもよく、外部機器であるＤＶＤ装置から送出されるビットストリームを入力し、そのビットストリームに基づいて生成してもよい。
【００５７】
また、上述した実施形態ではフロントが２チャンネル（左右）であり、リアも２チャンネル（サラウンド左右）である音声再生システムについて説明したが、フロントにセンターチャンネルを加えたり、リアのチャンネル数を３チャンネル以上にしてもよい。また、音声再生装置がスピーカ駆動用の増幅器を具備せず、全てのチャンネルの音声信号を単数又は複数のスピーカユニットに無線で送信し、単数又は複数のスピーカユニットが受信した音声信号を再生する構成にしてもよい。
【００５８】
また、本発明において、音声信号の送信受信の方式は、音声信号を無線で転送するものであればどの様な方式であっても構わない。
【図面の簡単な説明】
【００５９】
【図１】は、本発明に係る音声再生システムの一構成例を示す図である。
【図２】は、本発明に係る音声再生システムの他の構成例を示す図である。
【図３】は、従来の音声再生システムの一構成例を示す図である。
【符号の説明】
【００６０】
１    音声調節部
２Ｌ、２Ｒ    増幅部
３Ｌ、３Ｒ    フロントスピーカ
４    リア音声信号送信部
５    リモコン受信部
６    キー入力部
７    電源スイッチ
８    システムマイコン
９    リモコン送信部
１３    ＡＣプラグ
１４    リア音声信号受信部
１５Ｌ、１５Ｒ    増幅部
１６Ｌ、１６Ｒ    リアスピーカ
１７    リモコン受信部
１８    システムマイコン
１９    主電源回路
２０    ＡＣプラグ
２１    スイッチ
２３    副電源回路
【図１】
2005277650.tif 000003
【図２】
2005277650.tif 000004
【図３】
2005277650.tif 000005